【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
携帯端末の動作試験を行なう携帯端末試験装置であって、
表示器（２１）と、
前記表示器の画面に重ね合わされ、表面からタッチ操作された位置の情報を出力する操作パネル（３０）と、
前記表示器の画面に、前記携帯端末の動作試験を行なうのに必要な複数の設定項目を縦並びに表示する設定項目表示手段（４０）と、
前記操作パネルの表面のうち、前記表示器の画面に表示されている設定項目それぞれについてのパラメータ設定のための操作エリアを、該当設定項目の側方の領域にそれぞれ割当てる操作エリア割当手段（４１）と、
前記複数の設定項目に対して設定されている現状のパラメータを、前記表示器の画面に前記複数の設定項目の側方に表示し、また、前記複数の設定項目それぞれについてのパラメータ設定を行なうためのタッチ操作の目標となるマークを当該設定項目に割当てられた前記操作エリア内にそれぞれ表示し、該操作エリアに対するタッチ操作がなされた際に当該設定項目に対して設定可能なパラメータのいずれか設定させるパラメータ設定手段（４２）と、
前記複数の設定項目と該複数の設定項目それぞれについて設定されたパラメータとを対応付けて登録する設定パラメータ登録手段（４３）と、
前記複数の設定項目に対して設定されたパラメータに基づいて前記携帯端末の動作試験を行なう測定実行部とを備え、
前記操作エリア割当手段は、前記表示器の画面上で上下に隣接表示された設定項目に対応するそれぞれの操作エリアを、各設定項目の側方位置で且つ縦方向に非重複となるように横方向にずらして設定し、
前記パラメータ設定手段は、前記横方向にずらして設定された操作エリア内にタッチ操作の目標となる前記マークの表示を行なうことを特徴とする携帯端末試験装置。
【請求項２】
前記操作エリア割当手段は、前記それぞれの操作エリアを、各前記現状のパラメータの両側位置に交互に設定することを特徴とする請求項１記載の携帯端末試験装置。
【請求項３】
前記操作エリア割当手段は、前記横方向にずらした各操作エリアの高さ寸法を対応する設定項目の欄の高さ寸法より大きく設定することを特徴とする請求項１または請求項２記載の携帯端末試験装置。
【請求項４】
前記パラメータ設定手段は、上下に隣接する前記設定項目にそれぞれ対応する前記マークが表示される領域の背景を色の違いあるいは濃淡で区別表示することを特徴とする請求項１〜３のいずれかに記載の携帯端末試験装置。
【請求項５】
前記パラメータ設定手段は、上下に隣接する前記設定項目にそれぞれ対応する前記マークを色の違いあるいは濃淡で区別表示することを特徴とする請求項１〜４のいずれかに記載の携帯端末試験装置。
【手続補正２】
【補正対象書類名】明細書
【補正対象項目名】発明の名称
【補正方法】変更
【補正の内容】
【発明の名称】携帯端末試験装置
【手続補正３】
【補正対象書類名】明細書
【補正対象項目名】０００１
【補正方法】変更
【補正の内容】
【０００１】
本発明は、各種測定器、各種通信器等のような電子機器で、測定条件や通信条件等の各種パラメータを設定する技術に関し、特に、表示画面上に透明な操作パネルが重ね合わせられ、操作者が画面上に表示されている設定項目について設定しようとするパラメータを画面上の所定位置に触れることで選択操作するタッチパネル式のパラメータ設定装置を持つ携帯端末試験装置において、画面に表示される設定項目が多い場合でもその項目に対するパラメータ設定操作を確実に行なえるようにするための技術に関する。
【手続補正４】
【補正対象書類名】明細書
【補正対象項目名】０００７
【補正方法】変更
【補正の内容】
【０００７】
本発明は、この問題を解決し、縦に並んだ設定項目が多い場合でも、少ない押し間違いでパラメータ設定が可能なパラメータ設定装置を持つ携帯端末試験装置を提供することを目的としている。
【手続補正５】
【補正対象書類名】明細書
【補正対象項目名】０００８
【補正方法】変更
【補正の内容】
【０００８】
前記目的を達成するために、本発明の請求項１の携帯端末試験装置は、
携帯端末の動作試験を行なう携帯端末試験装置であって、
表示器（２１）と、
前記表示器の画面に重ね合わされ、表面からタッチ操作された位置の情報を出力する操作パネル（３０）と、
前記表示器の画面に、前記携帯端末の動作試験を行なうのに必要な複数の設定項目を縦並びに表示する設定項目表示手段（４０）と、
前記操作パネルの表面のうち、前記表示器の画面に表示されている設定項目それぞれについてのパラメータ設定のための操作エリアを、該当設定項目の側方の領域にそれぞれ割当てる操作エリア割当手段（４１）と、
前記複数の設定項目に対して設定されている現状のパラメータを、前記表示器の画面に前記複数の設定項目の側方に表示し、また、前記複数の設定項目それぞれについてのパラメータ設定を行なうためのタッチ操作の目標となるマークを当該設定項目に割当てられた前記操作エリア内にそれぞれ表示し、該操作エリアに対するタッチ操作がなされた際に当該設定項目に対して設定可能なパラメータのいずれか設定させるパラメータ設定手段（４２）と、
前記複数の設定項目と該複数の設定項目それぞれについて設定されたパラメータとを対応付けて登録する設定パラメータ登録手段（４３）と、
前記複数の設定項目に対して設定されたパラメータに基づいて前記携帯端末の動作試験を行なう測定実行部とを備え、
前記操作エリア割当手段は、前記表示器の画面上で上下に隣接表示された設定項目に対応するそれぞれの操作エリアを、各設定項目の側方位置で且つ縦方向に非重複となるように横方向にずらして設定し、
前記パラメータ設定手段は、前記横方向にずらして設定された操作エリア内にタッチ操作の目標となる前記マークの表示を行なうことを特徴とする。
また、本発明の請求項２の携帯端末試験装置は、請求項１記載の携帯端末試験装置において、
前記操作エリア割当手段は、前記それぞれの操作エリアを、各前記現状のパラメータの両側位置に交互に設定することを特徴とする。
【手続補正６】
【補正対象書類名】明細書
【補正対象項目名】０００９
【補正方法】変更
【補正の内容】
【０００９】
また、本発明の請求項３の携帯端末試験装置は、請求項１または請求項２記載の携帯端末試験装置において、
前記操作エリア割当手段は、前記横方向にずらした各操作エリアの高さ寸法を対応する設定項目の欄の高さ寸法より大きく設定することを特徴とする。
【手続補正７】
【補正対象書類名】明細書
【補正対象項目名】００１０
【補正方法】変更
【補正の内容】
【００１０】
また、本発明の請求項４の携帯端末試験装置は、請求項１〜３のいずれかに記載の携帯端末試験装置において、
前記パラメータ設定手段は、上下に隣接する前記設定項目にそれぞれ対応する前記マークが表示される領域の背景を色の違いあるいは濃淡で区別表示することを特徴とする。
【手続補正８】
【補正対象書類名】明細書
【補正対象項目名】００１１
【補正方法】変更
【補正の内容】
【００１１】
また、本発明の請求項５の携帯端末試験装置は、請求項１〜４のいずれかに記載の携帯端末試験装置において、
前記パラメータ設定手段は、上下に隣接する前記設定項目にそれぞれ対応する前記マークを色の違いあるいは濃淡で区別表示することを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
このように、本発明では、表示器の画面上で上下に隣接表示された、携帯端末の動作試験を行なうのに必要な複数の設定項目に対応するそれぞれの操作エリアを、各設定項目の側方位置で且つ縦方向に非重複となるように横方向にずらして割当て、その横方向にずらされた操作エリア内にタッチ操作の目標となるマークを表示している。
【手続補正１１】
【補正対象書類名】明細書
【補正対象項目名】００３９
【補正方法】変更
【補正の内容】
【００３９】
また、逆に、設定項目ｋ(1,2) についてパラメータを変更するために操作エリアＥ(1,2) 内のマークＭ(1,2) をタッチ操作するとき、その上側の設定項目ｋ(1,1) の欄と同じ高さの部分に触れたり、マークＭ(1,2) の下側で、設定項目ｋ(1,3) の欄と同じ高さの部分に触れる可能性があるが、操作エリアＥ(1,2) の広い上下の幅のほぼ中段に目標のマークＭ(1,2) が表示されているから、実際にタッチ操作される位置が操作エリアＥ(1,2) の範囲に入る確率が非常に高い。したがって、横方向にずれた上下の操作エリアＥ(1,1) 、Ｅ(1,3) だけでなく、さらにその上下（この例では下側のみ）の設定項目ｋ(1,4) の操作エリアＥ(1,4) に対しても押し間違いを極めて少なくできる。